(57)【要約】【課題】多元化に応用できる、操作が便利であるマッサージ装置を提供する。【解決手段】本考案のマッサージ装置は、振動装置が含有され、当該振動装置の側面に四つの支持体が設けられ、当該振動装置上に支承板が設けられ、当該支承板上に複数の木質マッサージ体が設けられる。本考案は、ユーザーのニーズに応じて、木質であるマッサージ体の大きさや数、配列及び形状が変更できるため、応用性がより多元化でき、また、木質であるマッサージ体に精油や薬液を吸収させることにより、マッサージする時、振動摩擦により、精油を蒸発することと薬液が皮膚に浸透することができる。【選択図】図１
0003111002.tif 000002
【実用新案登録請求の範囲】
【請求項１】
側面に少なくとも三つの支持体が設けられる振動装置と、
当該振動装置上に設置される支承板と、
当該支承板上に設けられ、当該振動装置の振動により、駆動される少なくとも一つの木質マッサージ体と、が含有される、ことを特徴とするマッサージ装置。
【請求項２】
当該木質マッサージ体には、特殊液体を塗り付けて、吸収させることを特徴とする請求項１に記載のマッサージ装置。
【請求項３】
当該特殊液体は、精油や漢方薬液体の何れかの一つであることを特徴とする請求項２に記載のマッサージ装置。
【請求項４】
当該振動装置の中には、当該支承板を往復に振動させるためのモータが設けられることを特徴とする請求項１に記載のマッサージ装置。
【請求項５】
当該三つの支持体は、当該振動装置の側面において、斜めに設けられ、空を浮くように当該振動装置を支持することを特徴とする請求項１に記載のマッサージ装置。
【請求項６】
当該マッサージ装置は、足揉みや腹部マッサージ、腰部マッサージ、顔面及び人体の各部のマッサージに応用できることを特徴とする請求項１に記載のマッサージ装置。
【請求項７】
当該木質マッサージ体が、複数である場合、当該木質マッサージ体の大きさや数、配列及び形状は、ユーザーの必要に応じて変更できることを特徴とする請求項１に記載のマッサージ装置。
【請求項８】
当該振動装置の中には、電力を供給するための電力設備が設けられることを特徴とする請求項１に記載のマッサージ装置。
【請求項９】
当該電力設備には、電力を蓄積するための充電電池があることを特徴とする請求項８に記載のマッサージ装置。
【請求項１０】
当該振動装置上には、更に、振動速度を制御するための制御スイッチが設けられることを特徴とする請求項１に記載のマッサージ装置。
【請求項１１】
当該木質マッサージ体は、螺合や係合或いは係止により、当該支承板上に設けられることを特徴とする請求項１に記載のマッサージ装置。
【考案の詳細な説明】
【技術分野】
【０００１】
本考案は、マッサージ装置に関し、特に、広く応用できる、操作が便利であるアロマセラピーができるマッサージ装置に関する。
【背景技術】
【０００２】
時代の進歩に従って、健康が重要視され、その中、マッサージは、現代において、広く応用される保健の項目のひとつであり、マッサージの種類は、様々であり、例えば、足揉みや神経反射マッサージ、顔面神経反射マッサージおよび人体各部のマッサージ等があり、その中、足揉みが一番流行っていて、足揉みの利点は、１、免疫力の増進、２、細胞活化の促進、３、神経反射の強化、４、内分泌機能の増進、５、腸胃蠕動の刺激、６、筋肉延ばしの増大等がある。また、マッサージする時、精油や漢方薬液体等の使用により、精油の匂いや漢方薬により、マッサージの治療効果が最大に発揮できる。
【０００３】
今の市場において、色々なマッサージ器材が存在し、例えば、手動マッサージローラーや足揉み靴或いは電動マッサージ椅子…等があるが、その中、精油とマッサージャーと電動の三者を結合するマッサージャーはなく、三者を結合するマッサージャーによって、マッサージの効果が向上できるので、三者を結合したマッサージャーの作製は、業界にとって、至急な課題になる。
【０００４】
本考案者は、多年の累積したマッサージャーの設計や製造上の経験に基づいて、長期研発により、有効に上記の問題を解決できる、多元化に応用できる、操作が便利であるマッサージ装置を提供する。
【考案の開示】
【考案が解決しようとする課題】
【０００５】
本考案の主な目的は、木質であるマッサージ体に精油や薬液を吸収させることにより、マッサージする時、振動摩擦により、精油を散発することと薬液が皮膚に浸透することができるマッサージ装置を提供する。
【０００６】
本考案の他の目的は、大きさや数、配列及び形状が変更できるマッサージ体により、応用性がより多元化できるマッサージ装置を提供する。
【課題を解決するための手段】
【０００７】
本考案に係わるマッサージ装置によれば、振動装置が含有され、当該振動装置の側面に少なくとも三つの支持体が設けられ、当該振動装置上に支承板が設けられ、また、当該支承板上に少なくとも一つの木質マッサージ体が設けられ、木質マッサージ体は、振動装置の振動により、駆動される。
【０００８】
以下、図面を参照しながら、具体的な実施例を用いて詳しく説明することにより、本考案の目的や技術内容、特点及び効果が良く分かる。
【考案を実施するための最良の形態】
【０００９】
本考案に係わるマッサージ装置は、足揉みや腹部マッサージ、腰部マッサージ、顔面及び人体の各部のマッサージ等に応用でき、また、例えば、精油や漢方薬液体等の特別な治療効果を有する液体を使い合わせ、マッサージの効果が有効に向上され、図１と図２は、当該マッサージ装置の構造であり、振動装置１０があり、当該振動装置１０の中に、電力設備が設けられ、この実施例において、当該電力設備が電源線１２であり、振動装置１０に電力を供給し、当該振動装置１０上に制御スイッチ１４が設けられ、振動装置１０の電源切替えや振動周波は、当該制御スイッチ１４により制御され、また、振動装置１０の中に充電電池を設置し、電力を蓄積することにより、当該マッサージ装置をより便利に携帯できるようにしてもいい。
【００１０】
当該振動装置１０の側面には、四つの支持体１６が設けられ、当該四支持体１６は、振動装置１０の側面において、斜めに設けられ、当該マッサージ装置が平面な床に放置される時、振動装置１０は、四つの支持体１６により、支持されて空を浮き、振動装置１０上には、支承板１８が設けられ、そして、当該振動装置１０の中には、当該支承板１８を往復に振動させるためのモータ(図に表示せず)が設けられ、当該支承板１８上には、六つの木質マッサージ体２０が設けられ、当該木質マッサージ体２０は、螺合や係合或いは係止により支承板１８上に設けられ、また、当該六つの木質マッサージ体２０は、振動装置１０の中に位置するモータの稼働により、水平に往復移動するように振動られる。また、支承板１８上に設置される木質マッサージ体２０は、ユーザーの必要に応じて、木質マッサージ体２０の大きさや数、配列及び形状が変更でき、図３と図４を参照しながら、図のように、木質マッサージ体２０の大きさと数が変更されたものであり、また、木質マッサージ体２０に、例えば、精油や漢方薬液体等の特殊治療効果を有する液体２２を塗り付け、木質マッサージ体２０が精油や漢方薬液体等の特殊治療効果を有する液体２２を吸収できるため、木質マッサージ体２０は、マッサージする時、皮膚と快速的な振動摩擦により他の効果が得られ、例えば、精油であれば、香気が発生され、漢方薬液体であれば、皮膚に浸透して治療効果が得られる。
【００１１】
当該マッサージ装置は、床に放置される場合、足揉みができるが、これだけでなく、色々な使い方があり、図５を参照しながら、図のように、ユーザーは、支持体１６を把持して、木質マッサージ体２０を、例えば、背中や腰、腹部、顔面及び人体の各部等のマッサージしようとする部位に当たって、マッサージする等が、幅広く応用できる。
【００１２】
本考案によれば、木質マッサージ体２０で精油や薬液を吸収することにより、マッサージする時、振動摩擦により、精油が蒸発することや薬液が皮膚に浸透することによって、同時に２種類の治療効果が得られる。また、本考案によれば、ユーザーの必要に応じて、木質マッサージ体２０の大きさや数、配列及び形状が変更できるため、当該マッサージ装置の応用性がより多元化できる。
【００１３】
以上の実施例は、ただ、本考案の特点を説明するための本考案のより良い実施例であり、その目的は、当該技術を良く分かる熟練者であれば、本考案の内容を理解でき、そして、其れに従って実施できるが、本考案の実用新案登録請求の範囲は、其れによって、制限されない。本考案の実用新案登録請求の範囲に記載される構造や形状、特徴及び精神に従って、等価な変更や修正は、全てが、本考案の実用新案登録請求の範囲に含まれる。
【図面の簡単な説明】
【００１４】
【図１】本考案の立体図
【図２】本考案の正面図
【図３】本考案の木質マッサージ体の大きさが変更された場合の概念図
【図４】本考案の木質マッサージ体の数が変更された場合の概念図
【図５】本考案の他の操作方法の概念図
【符号の説明】
【００１５】
１０…振動装置
１２…電源線
１４…制御スイッチ
１６…支持体
１８…支承板
２０…木質マッサージ体
２２…特殊治療効果液体
【図１】
0003111002.tif 000003
【図２】
0003111002.tif 000004
【図３】
0003111002.tif 000005
【図４】
0003111002.tif 000006
【図５】
0003111002.tif 000007